(57)【要約】  少なくとも２つの重複部（２０、２１）から作られる織物であって、重複部の各々が一連の長手方向の糸の織り糸（縦糸）（２２、２４）とこれらを横切る１つあるいはそれ以上の一連の糸の織り糸（横糸）（２３、２５）を織り込まれることによって形成され、前記織物は前記第１重複部（２０）および第２重複部（２１）が、それぞれ、縦糸の織り糸（２２、２４）に平行かあるいは横糸の織り糸（２３、２５）に平行である共通の織り込み伸張部（３０）に沿って接合され、そして伸張部（３０）で２つの重複部（２０、２１）の横糸の織り糸（２３、２５）および縦糸の織り糸（２２、２４）が織り込まれ；前記共通の織り込み伸張部（３０）が接合している前記伸張部（３０）に沿って重複部（２０、２１）の接合の堅固性を保証するために少なくとも十分な幅の一種の第３重複部を形成するような方法で重複部（２０、２１）に横方向に伸びることを特徴とする。【選択図】図７
2011512461.tif 000002
【特許請求の範囲】
【請求項１】
少なくとも２つの重複部（２０、２１）から作られる織物であって、前記織物は重複部の各々が一連の長手方向の糸の織り糸（縦糸）（２２、２４）とこれらを横切る１つあるいはそれ以上の一連の糸の織り糸（横糸）（２３、２５）を織り込まれることによって形成され、前記織物は前記第１重複部（２０）および第２重複部（２１）が、それぞれ、縦糸の織り糸（２２，２４）に平行かあるいは横糸の縫い糸（２３、２５）に平行である共通の織り込み伸張部（３０）に沿って接合され、そして伸張部（３０）に２つの重複部（２０、２１）の横糸の織り糸（２３、２５）および縦糸の織り糸（２２，２４）が織り込まれ；前記共通の織り込み伸張部（３０）が接合している前記伸張部（３０）に沿って重複部（２０、２１）の接合の堅固性を保証するために少なくとも十分な幅の一種の第３重複部を形成するような方法で重複部（２０、２１）に対して横方向に伸びることを特徴とする。
【請求項２】
織り込み伸張部（３０）において、第１重複部（２０）の縦糸の織り糸（２２）および第２重複部（２１）の縦糸の織り糸（２４）が単一の一連の縦糸の織り糸（２２、２４）を形成し、一方、第１重複部（２０）の横糸の織り糸（２３）および第２重複部（２１）の横糸の織り糸（２５）が前記単一の一連の縦糸の織り糸（２２、２４）と織り込まれるように、前記織り込み伸張部（３０）が長手方向で縦糸の織り糸（２２、２４）に平行であることを特徴とする請求項１に従う織物。
【請求項３】
織り込み伸張部（３０）において、第１重複部（２０）の横糸の織り糸（２３）および第２重複部（２１）の横糸の織り糸（２５）が単一の一連の横糸の織り糸（２３、２５）を形成し、一方、第１重複部（２０）の縦糸の織り糸（２２）および第２重複部（２１）の縦糸の織り糸（２４）が前記単一の一連の横糸の織り糸（２３、２５）と織り込まれるように、前記織り込み伸張部（３０）が横手方向で横糸の織り糸（２３、２５）に平行であることを特徴とする請求項１に従う織物。
【請求項４】
織り込み伸張部（３０）が２つで、お互いに垂直であり、１つが長手方向で縦糸の織り糸（２０、２１）に平行であり、そして他が横方向で横糸の織り糸（２３、２５）に平行であることを特徴とする請求項１に従う織物。
【請求項５】
２つの重複部（２０、２１）が円筒状織物要素を形成するために織り込み伸張部（３０）を越えて伸びることを特徴とする請求項１に従う織物。
【請求項６】
２つの重複部（２０、２１）を接合する織り込み伸張部（３０）が第３重複部をそれ自身で形成するに十分な幅であることを特徴とする請求項１に従う織物。
【請求項７】
重複部が織り込み伸張部（３０）によって接合される複数の対に分割される４つ（２０、２１；２０’、２１’）であることを特徴とする請求項１に従う織物。
【請求項８】
重複部が織り込み伸張部（３０）によってそれぞれ接合される３つの２グループに分割される６つ（２０、２１、２８；２０’、２１’、２８’）であることを特徴とする請求項１に従う織物。
【請求項９】
単一の製品において、互いに多くの重複部の複数の対あるいはグループに接合する多くの共通の織り込み伸張部（３０、３０’）が、お互いに異なる寸法（伸びおよび長さ）であっても、形成されることを特徴とする請求項７および請求項８に従う織物。
【請求項１０】
第１の、上側重複部（２０）および第２の、下側重複部（２１）の少なくとも２つの重複部（２０、２１）から作られる織物の製作の方法であって、重複部の各々が、長手方向の糸の織り糸（縦糸）（２２、２４）と横方向の糸の織り糸（横糸）（２３、２５）で織り込まれることによって形成され、前記方法は次ぎによって構成されることを特徴とする：
−互いの先端で組まれる織物の少なくとも２つの重複部（２０、２１）の製作；
−共通の織り込み伸張部（３０）に沿う重複部の接合であって、接合は重複部が長さ方向、すなわち縦糸の織り糸に平行である場合において、それが単一の一連の上側重複部（２０）の縦糸の織り糸（２２）および単一の一連の下側重複部（２１）の縦糸の織り糸（２４）を形成し、そして上側重複部（２０）の横糸の織り糸（２３）および下側重複部（２１）の横糸の織り糸（２５）を前記単一の一連の縦糸の織り糸（２２，２４）と織り込むことによって得られ、一方、それが横方向、すなわち横糸の織り糸に平行である場合において、それが単一の一連の上側重複部（２０）の横糸の織り糸（２３）および下側重複部（２１）の横糸の織り糸（２５）を形成し、そして上側重複部（２０）の縦糸の織り糸（２２）および下側重複部（２１）の縦糸の織り糸（２４）を前記単一の一連の横糸の織り糸（２３、２５）と織り込むことによって得られる。
【発明の詳細な説明】
【技術分野】
【０００１】
本願発明の主題は共通の伸張部（ｓｔｒｅｃｈ）に沿って織り込まれる少なくとも２つの重複部（ｌａｐ）から作られる織物であり、同様にその製作のための方法である。
【０００２】
杼織機（ひしょっき）のみで作られ得る２倍幅をもつ織物が筬（おさ）幅で通常得られ得る２倍の幅をもつ織物を作るために使用される。
【０００３】
前記の技術で、お互いの先端で組まれる２つの織物が得られそして片側で一緒に接合され；それが織機から出ると、こうして得られる織物は筬幅の２倍の幅を有する。
【０００４】
上記の織物の製作のため、図１に示されるように、縦糸１１の方向および横糸１０の方向の両方で、前面の織物と背面の織物の織りを組み合わせることが必要である。
【０００５】
平織りの場合における、横糸の挿入は次ぎの順序を示す：第１の横糸の挿入は上側織物１２の縦糸の織り糸と織り込む（先頭の上側織物の奇数の糸の織り糸）；第２の横糸の挿入は下側織物１３の縦糸の織り糸と織り込む（先頭の下側織物の奇数の糸の織り糸および上側織物の糸の織り糸と一緒に持ち上げ）、同様に第３の横糸の挿入（先頭で下側織物の偶数の糸の織り糸および上側織物の糸の織り糸と一緒に持ち上げ）；そして第４の横糸の挿入は上側織物の縦糸の織り糸と織り込む（先頭の上側織物の偶数の糸の織り糸）。
【０００６】
上記の論理を採用することによって、下記に記載される図２に表される３倍幅１２、１３、１４および１７の織物さえ得ることが可能である。
【０００７】
杼織機のみでまた作られ得る円筒状の織物（図３に図示される）は２つの織端（布地の耳）によって両端１７でのみ一緒に結合されるお互いの先頭で組まれる２つの織物１２および１３によって構成される；これらは一般的に小袋あるいは大袋、あるいは円筒状織物着を作るために使用される。
【０００８】
円筒状の織物は横糸の挿入のシステムに関して２倍幅の織物とは異なり、その順序は平織りの場合次ぎのようである：第１の横糸は上側織物の縦糸の織り糸と織り込む（先頭の上側織物の奇数の糸の織り糸）；第２の横糸は下側織物の縦糸の織り糸と織り込む（先頭で下側織物の偶数の糸の織り糸および上側織物の糸の織り糸と一緒に持ち上げ）；第３の横糸は上側織物の縦糸の織り糸と織り込む（先頭の上側織物の偶数の糸の織り糸）；そして第４の横糸は下側織物の縦糸の織り糸と織り込む（先頭で下側織物の奇数の糸の織り糸および上側織物の糸の織り糸と一緒に持ち上げ）。
【０００９】
もし円筒状の織物で縦糸の織り糸および横糸の織り糸が、図４に示されるように、互い違いになるならば、互い違いの円筒状の織物が上側織物１２および１３を構成する縦糸の織り糸および横糸の織り糸がお互いに長手方向線１５上で交換するように得られ、それで図４に図示されるように下側織物１３’および１２’を形成するに至る。
【００１０】
同じ論理を採用することによって、図５に図示すように、互い違いになる３重の織物１２、１３、１６；１６’、１２’、１３’；１３”、１６”、１２”を得ることがまた可能である。
【００１１】
本願発明の目的は、１つあるいはそれ以上の一連の長手方向の糸の織り糸（縦糸）にこれら（縦糸）に１つあるいはそれ以上の一連の横方向の糸の織り糸（横糸）を織り込むによって形成される織物を製作することであり、それは１つあるいはそれ以上の織り込み伸張部によって束縛されることによって、前記織り込みから派生する３つ、４つあるいはそれ以上の織物の重複部をもつ製品を形成するに至ることができる。
【００１２】
織り込みの伸張部および種々の重複部の相互の束縛は長手方向あるいは横方向であり得る。
【００１３】
織物の重複部は平織による織物あるいは複雑な織をもつ織物およびそれ故綜絖織機あるいはそのほかにジャカード（ｊａｃｑｕａｒｄ）織機を使用して製作され得る織物によって構成され得る。
【００１４】
本願発明は２倍幅あるいは３倍幅の織物および平織りあるいは互い違いの円筒状の織物に由来する。本願発明の独創性は、織物の種々な重複部を一緒に接合し、それで重複部をお互いに種々に分離しそして独立する１つあるいはそれ以上の織り込み伸張部が得られるという事実にある。
【００１５】
上記の重複部は織りひだの織端で仕上げられる長手方向の両端、本来の織端あるいはまたからみ織り動作装置で作られる仕上げおよび／あるいは次の段階で行われる縁（へり）縫いを提供する特徴をさらに有する。
【００１６】
上記同様に、以下にもっと完全に理解されるさらなる目的を達成するために、請求項１に従う織物および請求項１０に従うその製作方法が本願発明に従って提供される。
【００１７】
本願発明に従う織物は付帯する図面を参照してここに記載される：
図１−５は最新技術に属する織物の異なる実施態様を図示する；各図は概観の形状の織物およびひと機（はた）分の織布の形状の織物を示す。図６は本願発明に従う織物のいくつかの実施態様の概観の図示である。図７、８、９、１０および１１は周知の技術に従う織物が図１−５に図示されると同様の方法でいくつかの実施態様の本願発明に従う織物を図示する。図７ａ、８ａ、９ａおよび１０ａはそれぞれの実施態様で得られる織りひだ付け部分の織端（耳）を図示する。
【００１８】
上に記載される織物の形の基本的考えを利用したとしても、織りの変形、縮小、可能な交替、および織物の重複部の数の全てにおいて、本願発明に従う織物の独創性の特徴は少なくとも１つの長手方向の（必ずしも直線でない）織り込み伸張部を有する織物であり、伸張部の周囲には織物の種々の重複部が、横方向の線でまた織り込むことによって重複部を種々に束縛される可能性が取り除かれないとしても、少なくとも片側で、お互いに自由でそして独立である。
【００１９】
いわゆる“織り込み伸張部”は織物の種々の重複部が一緒に保持されていることによる束縛を構成している；織り込み伸張部は、望ましくはしかし排他的でなく、長手方向の進展、すなわち縦糸の方向の進展を有する。織物のある応用のために、実際に、織り込み伸張部が横方向の進展、すなわち横糸の方向の進展を有し、そしていずれかの場合において伸張部は直線のあるいは非直線の進展を有し得る；直線の伸張部は綜絖織機およびジャカード型織機の両方で作られ得る；非直線の伸張部はジャカード型織機で必ず作られねばならない。
【００２０】
織り込み伸張部は縦糸の織り糸と横糸の織り糸を必然的に一緒に接合されることを可能とするために、織物の種々の重複部を作る縦糸の織り糸を横糸の織り糸で織り込むことによって作られる；伸張部は多かれ少なかれ幅があり得て、すなわち伸張部は縦糸のより糸のより大きいあるいはより小さい数を含み得る。
【００２１】
作られ得る織り込み伸張部の数は変更可能で、そして１つおよび同じ織物で、与えられる寸法（幅×長さ）の伸張部の数ｎおよび他の寸法（幅×長さ）のｎ伸張部が作られる。
【００２２】
本願発明に従って作られる織物のいくつかの実施例が図６に概略的に表される；織り込み伸張部は、Ｈを除く全ての実施態様で、図面の単純さのために、伸張部は製品を構成する種々の重複部のしっかりした接合を保証するように一定の平面の延長を必然的に有しているとしても、薄いバンド３０として示される。
【００２３】
例えば、図６に示されるのは：４つ重複をもち、その内の２つが円筒状織物を形成する織物Ａ；織物Ａと同様であるが、しかし４つの重複部を形成するために長手方向に切断される円筒状織物Ｂ；４つの重複部をもつ織物Ｃ；６つの重複部をもつ織物Ｄ；４つの重複部および中央の円筒状織物をもつ織物Ｅ；６つの重複部および中央の横方向の円筒状織物をもつ織物Ｆ；長手方向および横方向の両方で織り込み伸張部によって分割される限りにおいて８つの重複部をもつ織物Ｇ；および３つの重複部をもつ織物Ｈである。実施態様Ｈは織り込み伸張部３０が織物の重複部をまた形成するように大変幅広くそしてそれ故織物が３つの重複部を有する唯一の物である。
【００２４】
織りおよび共通の織り込み伸張部の製作のために、単純な織りあるいは複雑な織りのいずれかが幾何学図形の、華麗な、あるいは彩織り模様を表すことができる織りさえ含んで、使用され得る。
【００２５】
概念的に織り込み伸張部に同様に、また如何なる可能な横方向の制限、すなわち横糸方向の束縛もまたあり、その束縛は組み合わせあるいは組み合わせでないいずれかで、長手方向の伸張部をもつ織物で与えられることであった。
【００２６】
織物は手動あるいは機械、両方に係わらず、横糸の挿入の異なるシステムを有する織機：レピア（ｒａｐｉｅｒ）型、発射体（ｐｒｏｊｅｃｔｉｌｅ）型、グリッパ（ｇｒｉｐｐｅｒ）型、あるいは噴射（ｊｅｔ）型で、伝統的な杼織機で作られる
【００２７】
２つの型の織機は綜絖縦糸制御で、あるいは操作される（ジャカード型）織物の製作が要求される場合にはジャカード型機械の手段によって制御されると理解され得る。
【００２８】
ガーゼ型あるいは紗織物の創作のために“はめ込み絡み織りヒールド（ｓｌｏｔｔｅｄ  ｌｅｎｏ  ｈｅａｌｄ）”体を使用することもまた可能である。
【００２９】
織機は１つあるいはそれ以上の対のフランジをそれぞれ備える単一の縦糸巻（ビーム）あるいは多数の縦糸巻をもつことがあり得る。
【００３０】
無杼織機の場合には、織りひだ付け装置は織機の幅で同時に製作される織物の個々の幅の数に従って準備されるか、あるいはその他に、異なる方法でサイドの仕上げを行なうことを希望する場合には、からみ織り動作装置が織機でｎ個の品物を製作されることを可能とするために使用される。
【００３１】
織物の縦糸を作る糸の織り糸は、平織あるいは種々のタイタ（ｔｉｔｒｅ）の装飾的な斜文織および構成をもつ種々の型、すなわち平滑かあるいは種々に操作される種々の型であり得る；これらの織り糸は多かれ少なかれ織物の幅および長さ当りの縮小（ｒｅｄｕｃｔｉｏｎｓ）に従う数であり得る；そしてこれらの織り糸は単一の型あるいは互いに組み合わせのいずれかであり得る。
【００３２】
これらの織り糸は縮小およびいずれかの種類の色の陰影をもつ縦糸とされる。
【００３３】
これらの糸の織り糸は希望する幅で糸巻に設置され、一対の房飾り（ｆｒｉｎｇｅ）によって範囲を定められる。
【００３４】
織物の横糸を構成する糸の織り糸は、平織あるいは種々のタイタの装飾的な斜文織および構成をもつ種々の型、すなわち平滑かあるいは種々に操作され得て、そしてこれらの織り糸は単一の型あるいは互いと組み合わせで、縦糸に対して使用されるものと同じか異なる型であり得る。
【００３５】
これらは縮小およびいずれかの種類の色の陰影をもつ横糸とされる。
【００３６】
綜絖織機に対して、縦糸の引き込みは製作される織物の型および織機によって認められる綜絖の最大数に従って異なる。
【００３７】
ジャカード型織機に対して、通過（ｐａｓｓｉｎｇ）は従来のものであり得るが、しかし特異の通過は使用される縦糸の型に従ってまた使用し得る。
【００３８】
織機は単幅の筬（おさ）あるいは同一のまたは異なる筬動作を有する２倍幅の筬のいずれかで提供され、同様に製作される織物の型に従って種々の断面の筬で提供される。
【００３９】
今、スカーフ（ｓｃａｒｆ）の製作のための本願発明に従って多くの織物の製作に対して最も具体的である５つの型の実施例の方法によって純粋に提供される説明を以下に記載する。スカーフが織物の応用として記述されるけれども、これは本願発明に従う織物の可能な応用に如何なる制限をも暗示していない。
【００４０】
実際に、この織物は技術的な布地の、衣類の、仕上げの部門で多くの応用をみつけることができそしていずれの場合においても織物が使用される部門全てで、
本願発明に従って織物の特徴を有利に提供できる。
【００４１】
（実施例１）
中心に組まれる織り込み伸張部をもち４つの重複部をもつスカーフ（図７参照）；織物の４つの重複部に対して平織りが使用され、一方、中心の伸張部に対してバタビア（Ｂａｔａｖｉａ）２／２型の織りが使用される。
【００４２】
スカーフは如何なる幅の綜絖織機でも製作され、もし織機が杼型であれば、織機の幅に相当する幅（単一スカーフ）を必然的に有し、一方、もし杼織機の幅と異なる型の横糸挿入をもつ織機で製作されるならば、多くのスカーフさえ切断される横糸の伸張部の再挿入に対してそれぞれ備えられる対の織りひだ付け装置の助けで同じ織機幅で作り得た。スカーフが房飾りおよび／あるいは横のメロウ（ｍｅｒｒｏｗ）の両縁をもって作られることであった場合には、織りひだ付け装置は余分かあるいは操作されない。
【００４３】
４つの重複部で作られる平織および中心の伸張部の織りとして作られるバタビア織りの場合においては、８つの綜絖プラス織端のための綜絖を必要とする；４つの綜絖は重複部を作るために使用され、残り４つの綜絖は織り込み伸張部を作るために使用される。
【００４４】
特定の実施例で、織りは２つの重複部２０および２０’を形成し、そして縦糸の織り糸２２および横糸の織り糸２３で作られる上側織物、および重複部２１および２１’を形成し、そして縦糸の織り糸２４および横糸の織り糸２５によって構成される下側織物を製作するように行われる。
【００４５】
上述のように、伸張部３０に相当する範囲で、上側織物の横糸の織り糸２３は上側織物の縦糸の織り糸２２および下側織物の縦糸の織り糸２４の両方と織り込む；同様に、下側織物の横糸の織り糸２５は上側織物の縦糸の織り糸２２および下側織物の縦糸の織り糸２４の両方と織り込み、伸張部は多かれ少なかれ要求に従う幅であり得るが、しかしいずれの場合にも形成された織物の４つの重複部の間の蝶番の軸を決定する。
【００４６】
製品の４つの重複部で、もっと複雑な織りあるいは特別な展開あるいは中心の織り込み伸張部の模様を作ることを意図した場合には、ジャカード型織機が使用される。
【００４７】
製品が織物の２つの側で切断される横糸の再挿入のため織りひだ付け装置を備えた無杼織機で作られることであった場合において、織物の形成のための横糸の挿入なしに、しかし綜絖の上昇の操作で、横糸入れ（ｐｉｃｋ）内の織りひだ付け装置によって切断される横糸の端の織物内の再挿入を可能にするために、織機の動いていない前記横糸入れを使用すべきである。
【００４８】
図７ａは如何にして織りひだ織端がこの解決策に従って得られるかを図示する。
【００４９】
（実施例２）
中央に組まれる２つの伸張部もつスカーフ（図８参照）であって、２つの伸張部が円筒状織物の中央バンドの範囲を決め、一方２つの伸張部の外側に織物の２つのそれぞれの織物の重複部が展開する。重複部は１つおきのの方法でスカーフに展開する；すなわち左側の上側重複部２０は、左手が伸張部３０を織り込み後、下側２０’の上へ中央で通過し、そして右手が伸張部３０’を織り込み後、上側２０”上を再び通過し；織物のもう一つの重複部は反対側の通路に続き：下側左手側２１から、第１織り込み伸張部３０の後、それは上側２１’の上へ通過し、そして第２織り込み伸張部３０’の後、下側２１”に戻る。織物の重複部２０、２０”、２１、２１”に対して平織りが使用され、一方２つの織り込み伸張部３０，３０’に対してバタビア２／２織りが使用される。
【００５０】
スカーフは如何なる幅でも綜絖織機で織られ、もし織機が杼織機であれば織機の幅（単一スカーフ）に相当する幅を必然的に有する。もしスカーフが杼横糸挿入と異なる横糸の挿入の型をもつ織機で織られるならば、多くのスカーフさえが切断される横糸伸張部の再挿入のためにそれぞれ備えられる対の織りひだ付け装置の助けで同じ織機幅で製作される。スカーフが房飾りおよび／あるいは横のメロウの両縁で作られることであった場合には、縫いひだ付け装置は余分かあるいは操作されない。
【００５１】
２つの１つおきの面で行われる平織りおよび２つの軸に対するバタビア織りの場合には、１２の綜絖プラス織端綜絖を必要とし；４つの綜絖は２つの軸を作るために使用されそして他の８つの綜絖は２つの１つおきのの織物を作るために使用される。
【００５２】
製品の２つの（１つおきの）重複部で、もっと複雑な織りあるいは特別な斬新的な変化あるいは軸の模様を作ることを意図した場合には、ジャカード型織機が使用される。
【００５３】
製品が織物の２つの側で切断される横糸の再挿入のために織りひだ付け装置をもち備えられる無杼織機で作られることであった場合には、織物の形成のために横糸の挿入なしに、しかし綜絖の上昇の操作で、横糸入れ内の織りひだ付け装置によって切断される横糸の端の織物内の再挿入を可能にするために、織機の使用されない前記の横糸入れが思い描かれるべきである。
【００５４】
図８ａは如何にして織りひだ織端がこの解決策に従って得られるかを図示する。
【００５５】
（実施例３）
中央に織り込み伸張部を設けた６つの重複部をもつスカーフ（図９参照）；織物の６つの重複部に対して平織りが使用され；中央の伸張部に対してバタビア２／２型の織りが使用される。
【００５６】
スカーフは如何なる幅でも綜絖織機で作られ、もし織機が杼織機であれば織機の幅（単一スカーフ）に相当する幅を必然的に有する。もしスカーフが杼横糸挿入と異なる横糸の挿入型をもつ織機で織られるならば、多くのスカーフさえが切断される横糸の伸張部の再挿入のためにそれぞれ備えられる対の織りひだ付け装置の助けで同じ織機幅で製作される。スカーフが房飾りおよび／あるいは横のメロウの両縁をもって作られる場合には、織りひだ付け装置は余分かあるいは操作されない。
【００５７】
６つの重複部に対して行われる平織りおよび織り込み伸張部に対するバタビア織りが行われる場合には、１０の綜絖プラス織端綜絖が必要であり；６つの綜絖は複数の重複部を作るために使用されそして残り４つの綜絖は織り込み伸張部を作るために使用される。
【００５８】
特定の実施例では、織りは、２つの重複部２０および２０’を形成しそして縦糸の織り糸２２および横糸の織り糸２３によって構成される上側織物、重複部２１および２１’を形成しそして縦糸の織り糸２４および横糸の織り糸２５によって構成される中間織物、そして２つの重複部２８および２８’を形成しそして縦糸の織り糸２６および横糸の織り糸２７によって構成される下側織物を製作するために行われる。
【００５９】
この場合、上側横糸の織り糸２３は、上側織物の縦糸の織り糸２２、中間の織物の縦糸の織り糸２４、および下側織物の縦糸の織り糸２６と織り込まれる。
【００６０】
同様に、中間織物の横糸の織り糸２５および下側織物の横糸２７はまた中央伸張部３０に相当する箇所で縦糸の織り糸２２、２４、２６の３つの前記の組と織り込まれ、伸張部は多かれ少なかれ要求に従う幅であり得て、しかしいずれの場合でも形成された織物の６つの重複部の間の蝶番の軸を決定する。
【００６１】
製品の６つの重複部で、もっと複雑な織りあるいは特殊な斬新的な変化あるいは軸の模様で作ることを意図された場合においては、ジャカード型織機が使用される。
【００６２】
製品が織物の２つの側で切断される横糸再挿入のため織りひだ付け装置を備えた無杼織機で作られることであった場合においては、織物の形成のために横糸の挿入なしに、しかし綜絖の上昇の操作で、横糸入れ内の織りひだ付け装置によって切断される横糸の端の織物内の再挿入を可能とするために、織機の使用されない前記横糸入れが用いられるべきである。
【００６３】
図９ａは如何にして織りひだの織端がこの解決策に従って得られるかを図示する。
【００６４】
（実施例４）
第３重複部を定義するために横方向に設けられた織り込み伸張部をもち２つの重複部をもつスカーフ（図１０参照）は；織物の２つの重複部に対して平織りが用いられ；横方向の伸張部に対してバタビア２／２型の織りが用いられる。
【００６５】
スカーフは如何なる幅の綜絖織機でも作られ、もし織機が杼織機であれば織機の幅（単一スカーフ）に相当する幅を必然的に有する。もしスカーフが杼横糸挿入と異なる横糸の型をもつ織機で織られるならば、多くのスカーフさえが切断される横糸の伸張部の再挿入のためにそれぞれ備えられる対の織りひだ付け装置の助けで同じ織機幅で製作される。スカーフが房飾りおよび／あるいは横のメロウの両縁で作られることであった場合には、織りひだを付ける装置は余分かあるいは操作されない。
【００６６】
特定の実施例では、織りは、１つの重複部２０を形成しそして縦糸の織り糸２２および横糸の織り糸２３によって構成される上側織物、および重複部２１を形成しそして縦糸の織り糸２４および横糸の織り糸２５によって構成される下側織物を製作するために行われる。
【００６７】
図７を参照して図示される実施例１のように、上側横糸の織り糸２３は上側織物の縦糸の織り糸２２および下側織物の縦糸の織り糸２４の両方と織り込まれる。
【００６８】
同様に、下側織物の横糸の織り糸２５はまた伸張部３０に相当する箇所の上側織物の縦糸の織り糸２２および下側織物の縦糸の織り糸２４の両方と織り込まれ、伸張部はこの場合において如何なる希望する幅の第３重複部３０をも提供するために十分幅広い。
【００６９】
製品の６つの重複部で、もっと複雑な織りあるいは特殊な斬新的な変化あるいは織り込み伸張部の模様を作ることを意図された場合においては、ジャカード型織機が用いられる。
【００７０】
製品が織物の２つの側で切断される横糸の再挿入のため織りひだを付ける装置をもち備えられる無杼織機で作られることであった場合においては、織物の形成のために横糸の挿入なしに、しかし綜絖の上昇の操作で、横糸入れ内の織りひだ付け装置によって横糸の端の織物に再挿入を可能とするために、織機の使用されない前記横糸入れが思い描かれるべきである。
【００７１】
図１０ａは如何にして織りひだの織端がこの解決策に従って得られるかを図示する。
【００７２】
（実施例５）
第３重複部を定義するために横方向に設けられた織り込み伸張部をもち２つの重複部をもつスカーフ（図１１参照）は。
【００７３】
示される実施例は、織り込み伸張部が長手方向でなく、すなわち縦糸の織り糸に平行でなく、しかし横方向に、すなわち横糸の織り糸に平行に作られる場合である。
【００７４】
横方向の織り込み伸張部の場合における以前の実施例（長手方向の織り込み伸張部に関する他の実施例）の場合の全てを再製作することは不必要であり、図面からに限って、図面は各場合で９０°の回転で簡単に得られる。
【００７５】
この実施例は織り込み伸張部によって接合される２つの重複部がある図１０の実施例４と交換可能である。特定の実施例で、織りは縦糸の織り糸２２および横糸の織り糸２３から作られる１つの重複部２０を形成する織物、そして縦糸の織り糸２４および横糸の織り糸２５から作られる１つの重複部２１を形成する織物を製作するように作られる。
【００７６】
実施例４で図１０を参照として図示されるように、重複部２０において、横糸の織り糸２３は縦糸の織り糸２２と織り込まれる；重複部２１において、横糸の織り糸２５は縦糸の織り糸２４と織り込まれる；共通の織り込み伸張部に相当する箇所において、伸張部はまた、この場合において如何なる希望する長さの第３重複部３０をも備えるように十分に幅広く、２本の横糸の織り糸２３および２５は縦糸の織り糸２２および２４の両方と織り込まれる。
【００７７】
製品の６つの重複部で、もっと複雑な織りあるいは特殊な斬新的な変化あるいは織り込み伸張部の模様を作ることを意図された場合においては、ジャカード型織機が用いられる。
【００７８】
製品が織物の２つの側で切断される横糸の再挿入のため織りひだ付け装置をもち備えられる無杼織機で作られることであった場合においては、織物の形成のために横糸の挿入なしに、しかし綜絖の上昇の操作で、横糸入れ内の織りひだ付け装置によって切断される横糸の端の織物に再挿入を可能とするために、織機の使用されない前記横糸入れが用いられるべきである。
【符号の説明】
【００７９】
２０、２１、２０’、２１’、２８、２８’  重複部
２２、２４      縦糸の織り糸
２３、２５      横糸の織り糸
３０、３０’    伸張部
【図１】
2011512461.tif 000003
【図２】
2011512461.tif 000004
【図３】
2011512461.tif 000005
【図４】
2011512461.tif 000006
【図５】
2011512461.tif 000007
【図６Ａ】
2011512461.tif 000008
【図６Ｂ】
2011512461.tif 000009
【図６Ｃ】
2011512461.tif 000010
【図６Ｄ】
2011512461.tif 000011
【図６Ｅ】
2011512461.tif 000012
【図６Ｆ】
2011512461.tif 000013
【図６Ｇ】
2011512461.tif 000014
【図６Ｈ】
2011512461.tif 000015
【図７】
2011512461.tif 000016
【図７ａ】
2011512461.tif 000017
【図８】
2011512461.tif 000018
【図８ａ】
2011512461.tif 000019
【図９】
2011512461.tif 000020
【図９ａ】
2011512461.tif 000021
【図１０】
2011512461.tif 000022
【図１０ａ】
2011512461.tif 000023
【図１１】
2011512461.tif 000024
【国際調査報告】
2011512461.tif 000025
2011512461.tif 000026
2011512461.tif 000027